(57)【要約】【課題】ユーザ自身がスケジュールの設定や変更を容易に行うことができるタイムスイッチを提供する。【解決手段】タイムスイッチ１０のスイッチ本体３０は、３個モジュール寸法の埋込形配線器具を短幅方向に２個並べた寸法（２連モジュール寸法）と略同じ寸法に形成されており、上下の両側壁には取付枠片３８，３８が突設され、各取付枠片３８には施工面に埋設された埋込ボックス（図示せず）にねじ止めするためのボックスねじを挿通する長孔３８ａやはさみ金具が取着される取着孔が設けてある。またスイッチ本体３０の前面には化粧カバー３３，３４が取着され、設定部１０ａの操作面となる化粧カバー３３には、制御対象となる負荷に対応したアドレスと当該負荷の制御内容と制御時刻とを組としたタイムスケジュールを設定するための設定操作部の操作釦４５ａ〜４５ｆが配置されている。【選択図】図１
2007251671.tif 000002
【特許請求の範囲】
【請求項１】
個別のアドレスが割り当てられた操作スイッチのスイッチ操作を監視する操作スイッチ配線器具と、個別のアドレスが割り当てられたリレーの開閉を制御するリモコン配線器具とを信号線に接続し、前記操作スイッチ配線器具は、前記操作スイッチからの監視入力とアドレス情報とを含む伝送信号を時分割多重伝送により信号線に出力し、前記リモコン配線器具は、信号線を介して受信した伝送信号に含まれるアドレス情報が対応するリレーのアドレスに一致すると、当該リレーを伝送信号に含まれる監視入力に基づいて開閉し、当該リレーに接続された負荷をオン／オフする遠隔監視制御システムに用いられ、
制御対象となる負荷に対応したアドレスと当該負荷の制御内容と制御時刻との組をタイムスケジュールとして格納するプログラム記憶部と、アドレスと制御内容と制御時刻とを設定しタイムスケジュールとしてプログラム記憶部に記憶させる設定操作部と、現在時刻を計時する時計部と、前記信号線を介して時分割多重伝送により伝送信号を授受する信号送受信部と、プログラム記憶部に格納された各組のタイムスケジュールにおける制御時刻が時計部により計時されている現在時刻に一致すると当該タイムスケジュールにおけるアドレスおよび制御内容をそれぞれ前記アドレス情報、前記監視入力とする伝送信号を作成して、当該伝送信号を信号送受信部から信号線に送出させる信号処理部とを備え、前面を露出させた状態で壁面に埋込配設されるスイッチ本体の内部に前記プログラム記憶部と前記時計部と前記信号送受信部と前記信号処理部とを収納するとともに、前記スイッチ本体の前面に前記設定操作部を配置したことを特徴とするタイムスイッチ。
【請求項２】
前記スイッチ本体の前面に、前記プログラム記憶部に登録されたアドレスが割り当てられた操作スイッチを配置し、前記信号処理部は、前記操作スイッチが操作されると、当該スイッチに割り当てたアドレスをアドレス情報とし対応する負荷のオン／オフを反転させる制御内容を監視入力とした伝送信号を作成し、当該伝送信号を信号送受信部から信号線に送出させることを特徴とする請求項１記載のタイムスイッチ。
【請求項３】
信号処理部による運転モードを、前記プログラム記憶部に登録された全てのアドレスについて前記タイムスケジュールにしたがったタイマ制御を行う自動運転モード、又は、前記アドレスのうち指定されたアドレスのみについて前記タイムスケジュールにしたがったタイマ制御を行う特定日運転モードの何れかに切り替える運転切替手段と、各々のアドレス毎に、特定日運転モードにおいてタイムスケジュールにしたがったタイマ制御を行うか否かを切り替える設定切替手段とを設けたことを特徴とする請求項１又は２記載のタイムスイッチ。
【請求項４】
前記信号処理部の運転モードを自動運転モード又は特定日運転モードの何れかに切り替えるための接点信号が入力される外部接点接続端子を設け、前記信号処理部が、外部接点接続端子から入力される接点信号に応じて、運転モードを自動運転モード又は特定日運転モードの何れかに切り替えることを特徴とする請求項３記載のタイムスイッチ。
【請求項５】
周囲の明るさと所定の基準値との明暗に応じて出力信号が変化する明るさセンサが接続される明るさセンサ接続端子を設け、前記明るさセンサは明るさセンサ接続端子を介して電源が供給されるとともに、出力信号の変化に応じて端子間電圧を変化させており、前記プログラム記憶部に、対応する制御内容を実行する時の制御時刻に代えて、明るさセンサによる出力信号の変化方向が設定されたタイムスケジュールを少なくとも１つ格納したことを特徴とする請求項１乃至４の何れかに記載のタイムスイッチ。
【請求項６】
前記時計部により計時される現在時刻を一定時間だけ早める状態と元に戻す状態との選択操作を行うためのサマータイム切替スイッチを設けたことを特徴とする請求項１乃至５の何れかに記載のタイムスイッチ。
【発明の詳細な説明】
【技術分野】
【０００１】
本発明は、タイムスイッチに関するものである。
【背景技術】
【０００２】
従来より、操作スイッチからのスイッチ入力を監視する操作スイッチ配線器具および対応する負荷のオン／オフを制御するリモコン配線器具を２線式の信号線を介して伝送制御装置に接続し、各配線器具に個別のアドレスを割り当てて、伝送制御装置と各配線器具との間でアドレスを含む伝送信号を時分割多重伝送により送受信する遠隔監視制御システムが提供されている。
【０００３】
伝送制御装置は、アドレスデータを含む伝送信号を信号線に送出することによって操作スイッチ配線器具及びリモコン配線器具を個別にアクセスし、伝送信号に同期して設定した信号返送期間に、監視入力のあった操作スイッチ配線器具からの監視データを受信すると、監視データに基づいて制御データを生成し、監視データを発生した操作スイッチ配線器具とアドレスによる対応関係が予め設定されているリモコン配線器具に対して制御データを伝送してリモコン配線器具に接続された負荷を制御するのである。
【０００４】
このような遠隔監視制御システムにおいて、操作スイッチ配線器具に設けた操作スイッチの操作で負荷のオン／オフを制御する代わりに、予め設定された時刻に負荷のオン／オフを自動的に制御するためのタイマスイッチが用いられる場合がある。このタイマスイッチは、一週間の曜日毎に負荷制御の制御時刻並びに個別制御やグループ制御あるいはパターン制御のような制御内容等を指定するタイムスケジュールが記録され、タイマスケジュールの制御時刻を現在時刻と比較し、制御時刻と現在時刻が一致したときに、制御内容にしたがって内蔵する出力用リレーを開閉することで無電圧の接点信号を出力する。タイマスイッチが備える複数の接点信号出力端子には各々接点入力端末器の入力端子が接続されており、接点入力端末器ではタイムスイッチから出力される接点信号に応じた監視データを伝送制御装置に伝送し、伝送制御装置が上記監視データに応じた制御データをリモコン配線器具に伝送することによって、制御時刻にスケジュールの制御内容に応じた負荷制御が行われる。またタイムスイッチに時分割多重伝送により伝送信号を送受信する機能を持たせて、タイムスイッチを遠隔監視制御システムの端末器とし、制御時刻と現在時刻が一致したときに、タイムスイッチから、制御対象の負荷に対応するアドレスと制御内容とを含む伝送信号を信号線に送出させて、負荷のタイマ制御を行うようにしたものもある（例えば特許文献１参照）。
【特許文献１】特開２００２−１６９８７号公報（段落番号［００２７］−［００３４］、及び、第１図、第２図）
【発明の開示】
【発明が解決しようとする課題】
【０００５】
上述のタイマスイッチの器体は電灯分電盤用協約形配線用遮断器の寸法に対応した寸法に形成され、分電盤に組み込まれて使用されるもので、スケジュールの設定は施工業者によって行われていた。したがってユーザ側でスケジュールの設定や変更をする際には、分電盤の設置場所まで行って作業を行わねばならず、ユーザ自らがスケジュールの設定や変更を容易に行うことができなかった。
【０００６】
本発明は上記問題点に鑑みて為されたものであり、その目的とするところは、ユーザ自身がスケジュールの設定や変更を容易に行うことができるタイムスイッチを提供することにある。
【課題を解決するための手段】
【０００７】
上記目的を達成するために、請求項１の発明は、個別のアドレスが割り当てられた操作スイッチのスイッチ操作を監視する操作スイッチ配線器具と、個別のアドレスが割り当てられたリレーの開閉を制御するリモコン配線器具とを信号線に接続し、操作スイッチ配線器具は、操作スイッチからの監視入力とアドレス情報とを含む伝送信号を時分割多重伝送により信号線に出力し、リモコン配線器具は、信号線を介して受信した伝送信号に含まれるアドレス情報が対応するリレーのアドレスに一致すると、当該リレーを伝送信号に含まれる監視入力に基づいて開閉し、当該リレーに接続された負荷をオン／オフする遠隔監視制御システムに用いられ、制御対象となる負荷に対応したアドレスと当該負荷の制御内容と制御時刻との組をタイムスケジュールとして格納するプログラム記憶部と、アドレスと制御内容と制御時刻とを設定しタイムスケジュールとしてプログラム記憶部に記憶させる設定操作部と、現在時刻を計時する時計部と、信号線を介して時分割多重伝送により伝送信号を授受する信号送受信部と、プログラム記憶部に格納された各組のタイムスケジュールにおける制御時刻が時計部により計時されている現在時刻に一致すると当該タイムスケジュールにおけるアドレスおよび制御内容をそれぞれアドレス情報、監視入力とする伝送信号を作成して、当該伝送信号を信号送受信部から信号線に送出させる信号処理部とを備え、前面を露出させた状態で壁面に埋込配設されるスイッチ本体の内部にプログラム記憶部と時計部と信号送受信部と信号処理部とを収納するとともに、スイッチ本体の前面に設定操作部を配置したことを特徴とする。
【０００８】
請求項２の発明は、請求項１の発明において、スイッチ本体の前面に、プログラム記憶部に登録されたアドレスが割り当てられた操作スイッチを配置し、信号処理部は、操作スイッチが操作されると、当該スイッチに割り当てたアドレスをアドレス情報とし対応する負荷のオン／オフを反転させる制御内容を監視入力とした伝送信号を作成し、当該伝送信号を信号送受信部から信号線に送出させることを特徴とする。
【０００９】
請求項３の発明は、請求項１又は２の発明において、信号処理部による運転モードを、プログラム記憶部に登録された全てのアドレスについてタイムスケジュールにしたがったタイマ制御を行う自動運転モード、又は、アドレスのうち指定されたアドレスのみについてタイムスケジュールにしたがったタイマ制御を行う特定日運転モードの何れかに切り替える運転切替手段と、各々のアドレス毎に、特定日運転モードにおいてタイムスケジュールにしたがったタイマ制御を行うか否かを切り替える設定切替手段とを設けたことを特徴とする。
【００１０】
請求項４の発明は、請求項３の発明において、信号処理部の運転モードを自動運転モード又は特定日運転モードの何れかに切り替えるための接点信号が入力される外部接点接続端子を設け、信号処理部が、外部接点接続端子から入力される接点信号に応じて、運転モードを自動運転モード又は特定日運転モードの何れかに切り替えることを特徴とする。
【００１１】
請求項５の発明は、請求項１乃至４の何れかの発明において、周囲の明るさと所定の基準値との明暗に応じて出力信号が変化する明るさセンサが接続される明るさセンサ接続端子を設け、明るさセンサは明るさセンサ接続端子を介して電源が供給されるとともに、出力信号の変化に応じて端子間電圧を変化させており、プログラム記憶部に、対応する制御内容を実行する時の制御時刻に代えて、明るさセンサによる出力信号の変化方向が設定されたタイムスケジュールを少なくとも１つ格納したことを特徴とする。
【００１２】
請求項６の発明は、請求項１乃至５の何れかの発明において、時計部により計時される現在時刻を一定時間だけ早める状態と元に戻す状態との選択操作を行うためのサマータイム切替スイッチを設けたことを特徴とする。
【発明の効果】
【００１３】
請求項１の発明によれば、タイムスイッチのスイッチ本体は、前面を露出させた状態で壁面に埋込配設されており、このスイッチ本体の前面に設定操作部が配置されているので、タイムスイッチが施工された後でもユーザ自身がタイムスケジュールの設定作業や変更作業を容易に行えるという効果がある。
【００１４】
請求項２の発明によれば、操作スイッチを用いて負荷のオン／オフを手動で行うことができる。しかも、操作スイッチには、プログラム記憶部に登録されたアドレスが割り当てられるので、設定操作部を用いて操作スイッチのアドレス設定が行えるから、専用のアドレス設定器を用意する必要が無い。さらに、設定操作部により設定されるスケジュールは、操作スイッチにより制御される負荷に対して設定されるので、設定作業を行う作業者が設定する制御内容を理解しやすく、スケジュールの設定作業を簡単に行うことができるという効果がある。
【００１５】
請求項３の発明によれば、設定切替手段を用いて特定日運転モードにおいてタイマ制御を行うアドレスを設定しておけば、休日や祭日など一部の負荷のみを動作させたい場合には、運転切替手段により特定日運転モードに切り替えるだけで、一部の負荷のみのタイマ制御を行わせることができる。
【００１６】
請求項４の発明によれば、外部接点接続端子に入力される接点信号に応じて、運転モードを自動運転モード又は特定日運転モードの何れかに切り替えることができる。例えば接点信号として、事業所内の照明負荷を入／切するリレーと連動して動作するリレーの接点信号を用いれば、平日の出勤時にユーザが事業所内の照明負荷を点灯させると、それと連動して入力された接点信号により、タイムスイッチの運転モードを自動運転モードに切り替えることができ、全ての負荷についてスケジュール制御が行える。一方、夜間や休日などでは事業所内の照明負荷が点灯されないから、タイムスイッチの運転モードを特定日運転モードに切り替えることができ、運転モードの切替用に専用のスイッチを設ける必要が無く、ユーザ自身が運転モードを切り替える操作を意識して行わなくても、運転モードの切り替えを行うことができる。
【００１７】
請求項５の発明によれば、対応する制御内容を実行する時の制御時刻に代えて、明るさセンサによる出力信号の変化方向を設定することで、周囲が明るい状態から暗い状態に変化するのを明るさセンサが検出するか、又は、周囲が暗い状態から明るい状態に変換するのを明るさセンサが検出した時点で対応する制御内容を実行させることができる。ここにおいて、明るさセンサによる出力信号の変化方向（以下、明るさ方向と言う）とは、周囲が暗い状態から明るい状態に変化する方向、或いは、周囲が明るい状態から暗い状態に変化する方向の何れかである。さらに明るさセンサ接続端子に明るさセンサを接続すると、明るさセンサへの電源供給が行えるとともに、端子間電圧が変化することで明るさセンサの出力信号の変化を検出できるので、電源供給のための電線とは別に信号入力のための電線を配線する必要が無く、配線施工を容易に行えるという効果もある。
【００１８】
請求項６の発明によれば、サマータイム切替スイッチを用いてサマータイムへの移行又はサマータイムからの復帰を容易に選択できるという効果がある。
【発明を実施するための最良の形態】
【００１９】
以下に説明する本実施形態のタイマスイッチは、一般の住戸やオフィス、学校などの施設に設置され、予め設定された週間スケジュールにしたがって制御対象の負荷のタイマ制御を行うものである。なお本実施形態では照明負荷を制御する場合を例に説明を行ったが、負荷を照明負荷に限定する趣旨のものではなく、スケジュールにしたがって動作させたい負荷であれば、どのような負荷にも適用できることは言うまでもない。
【００２０】
本実施形態におけるタイムスイッチ１０は、図６に示すような遠隔監視制御システムにおける信号線Ｌｓに接続して使用される。したがって、まず遠隔監視制御システムの基本的な構成を図６に基づいて説明する。この遠隔監視制御システムでは、２線式の信号線Ｌｓに、リレー付き親器（以下制御親器と称す）１と、複数台（図５では例えば２台）のリレー付き子器（以下制御子器とす）２と、複数台（図５では例えば３台）の操作スイッチ配線器具３〜５が接続（マルチドロップ接続）されている。
【００２１】
ここに、本システムでは負荷（例えば照明負荷など）への電源供給をオン／オフするためのリレーを制御するリモコン配線器具として２種類の配線器具（制御親器１および制御子器２）を備え、制御親器１はリレー６を８回路分、制御子器２はリレーを４回路分ずつ備えている。一方、操作スイッチ配線器具３には、複数の負荷を予め個々に設定した制御状態に一括して制御（パターン制御）するためのパターンスイッチの操作釦３ａが複数個設けられ、各パターンスイッチの操作状態を監視している。また操作スイッチ配線器具４には、複数の負荷を同じ制御状態に一括して制御（グループ制御）するためのグループスイッチの操作釦４ａが設けられ、グループスイッチの操作状態を監視している。また操作スイッチ配線器具５には、対応する負荷を個別に制御（個別制御）するための個別スイッチの操作釦５ａが複数設けられ、複数の個別スイッチの操作状態を監視している。
【００２２】
制御親器１および制御子器２の備えるリレーと、操作スイッチ配線器具３〜５の備える操作釦３ａ，４ａ，５ａにはそれぞれ個別のアドレスが設定されており、リレー（負荷）とスイッチとのアドレスの対応関係を制御親器１で管理しているので、制御親器１では、それらのアドレスを用いて操作スイッチ配線器具３〜５のスイッチおよび制御親器１、制御子器２のリレーを個別に認識するとともに、スイッチの監視入力に対して対応関係にある１乃至複数回路のリレー（負荷）を制御することが可能である。
【００２３】
制御親器１は伝送制御装置としての機能を有しており、信号線Ｌｓに対して、図９（ａ）に示すフォーマットの伝送信号Ｖｓを送出する。すなわち、信号送出開始を示すスタートパルス信号ＳＴ、伝送信号Ｖｓのモードを示すモードデータＭＤ、制御子器２や操作スイッチ配線器具３〜５を各別に呼び出すためのアドレスデータＡＤ、リレーや負荷を制御する制御データＣＤ、伝送誤りを検出するためのチェックサムデータＣＳ、制御子器２や操作スイッチ配線器具３〜５からの返送信号（監視データ）を受信するタイムスロットである信号返送期間ＷＴよりなる双極性（±２４Ｖ）の時分割多重信号であり、パルス幅変調によってデータが伝送されるようになっている（図９（ｂ）参照）。制御子器２および操作スイッチ配線器具３〜５では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。 
【００２４】
ここで、制御親器１から所望の制御子器２や操作スイッチ配線器具３〜５へデータを伝送する場合には、モードデータＭＤを制御モードとし、制御子器２の備えるリレーや操作スイッチ配線器具３〜５の備えるスイッチに割り当てたアドレスをアドレスデータＡＤとする伝送信号Ｖｓを送出し、この伝送信号Ｖｓを信号線Ｌｓに送出すれば、アドレスデータＡＤに一致する制御子器２又は操作スイッチ配線器具３〜５が制御データＣＤを受け取り、信号返送期間ＷＴに監視データを返送する。制御親器１では送出した制御データＣＤと信号返送期間ＷＴに受信した監視データとの関係によって制御データＣＤが所望の制御子器２又は操作スイッチ配線器具３〜５に伝送されたことを確認する。制御子器２では受け取った制御データＣＤに従って対応するアドレスのリレーを制御する。また操作スイッチ配線器具３〜５では受け取った制御データＣＤに従ってリレーの動作確認表示を行なうための監視信号を出力する。 
【００２５】
また制御親器１は、通常時にはモードデータＭＤをダミーモードとした伝送信号Ｖｓを一定時間間隔で送出しており（常時ポーリング）、操作スイッチ配線器具３〜５が制御親器１に対して何らかの情報を伝送しようとするときには、ダミーモードの伝送信号Ｖｓのスタートパルス信号ＳＴに同期させて図９（ｃ）のような割込信号Ｖｉを発生させる。このとき、操作スイッチ配線器具３〜５は割込フラグを設定して制御親器１との以後の情報授受に備える。制御親器１では割込信号Ｖｉを受信すると、モードデータＭＤを割込ポーリングモードとしかつアドレスデータＡＤの上位半数のビットを順次増加させながら伝送信号を送出し、割込信号を発生した操作スイッチ配線器具３〜５では、割込ポーリングモードの伝送信号に含まれるアドレスデータＡＤの上位半数のビットが自己のスイッチに割り当てたアドレスの上位半数のビットに一致するときに、信号返送期間ＷＴにアドレスの下位半数のビットを制御親器１に返送する。
【００２６】
制御親器１が割込信号を発生した操作スイッチ配線器具３〜５のアドレス（つまり操作されたスイッチのアドレス）を獲得すると、モードデータＭＤを監視モードとし、獲得したアドレスデータＡＤを持つ伝送信号を信号線Ｌｓに送出するのであって、この伝送信号に対して操作スイッチ配線器具３〜５は伝送しようとする情報を信号返送期間ＷＴに返送するのである。最後に、制御親器１は割込信号を発生した操作スイッチ配線器具３〜５に対して割込リセットを指示する信号を送出し、操作スイッチ配線器具３〜５の割込フラグを解除する。以上のようにして、操作スイッチ配線器具３〜５から制御親器１への情報伝送は、制御親器１から操作スイッチ配線器具３〜５への４回の信号伝送（ダミーモード、割込ポーリングモード、監視モード、割込リセット）によって完了する。また制御親器１が所望の制御子器２の動作状態を知ろうとするときには、モードデータＭＤを監視データとした伝送信号を送出するだけでよい。 
【００２７】
上述の動作を簡単にまとめる。まず、各スイッチの操作釦３ａ〜５ａの操作により入力データが発生すると、操作スイッチ配線器具３〜５から入力データに対応した監視データを制御親器１に返送し、制御親器１では、操作されたスイッチのアドレスと自己の備えるリレーのアドレスとが対応関係にある場合は、このリレーを制御し、操作されたスイッチのアドレスが制御子器２の備えるリレーのアドレスと対応関係にある場合は、この制御子器２に制御データＣＤを伝送し、制御子器２により対応するリレーを制御させている。なお制御親器１では、パターンスイッチやグループスイッチとリレーとのアドレスの対応関係も管理しており、何れかのスイッチの操作に応じて複数回路のリレーを一括して制御することが可能である。
【００２８】
以上のように本システムでは操作スイッチ配線器具３〜５の操作釦３ａ〜５ａの操作に応じて対応関係にあるリレーを開閉して、負荷のオン／オフを制御することができるのであるが、予め設定されたスケジュールにしたがって対応する負荷のタイマ制御を行うタイムスイッチ１０を備えており、以下では本発明に係るタイムスイッチ１０の説明を行う。
【００２９】
タイムスイッチ１０は図５に示す構成を有し、マイクロコンピュータよりなる信号処理部１１と、信号線接続端子Ｔ１，Ｔ２を介して上記信号線Ｌｓに接続され、当該信号線Ｌｓを介して時分割多重伝送により伝送信号を授受する信号送受信部１２と、ＥＥＰＲＯＭなどの不揮発性メモリからなり後述のスケジュールや各種の設定内容を記憶するプログラム記憶部１３と、信号処理部１１が内蔵する時計部１１ａに計時用のクロック信号を供給する発振回路１４と、後述のスイッチ群４１や操作スイッチ４３ａ…などから操作入力が与えられるキー入力部１５と、各種の設定内容を画面に表示する液晶表示部１６と、各種の設定内容や負荷の動作状態を表示するＬＥＤ表示部２５と、キー入力部１５の操作音やエラー音を鳴動させるブザー回路１７と、信号処理部１１を構成するマイクロコンピュータに動作クロックを与える発振回路１８と、マイクロコンピュータをリセットするリセット回路１９と、信号線Ｌｓを介して入力される伝送信号をダイオードブリッジＤＢにより全波整流して得た直流電源を平滑、安定化して動作電圧を得る電源回路２０と、電源回路２０の電源電圧を監視することによって停電を検知する電源電圧検出回路２１と、通電時に充電されるコンデンサを電源として停電発生時に信号処理部１１に電源を供給し、時計部１１ａの計時をバックアップするバックアップ電源回路２２と、明るさセンサ接続端子Ｔ３，Ｔ４に接続された明るさセンサ７に対して動作電源を供給するとともに、端子間電圧の変化から明るさセンサ７の出力変化を検出して信号処理部１１に与える明るさセンサ受信回路２３と、外部接点接続端子Ｔ５，Ｔ６に接続されるスイッチ（外部接点）ＳＷ１の接点信号を信号処理部１１に与える外部接点検出回路２４とを備えている。
【００３０】
電源電圧検出回路２１は、電源回路２０の電源電圧を監視することによって停電を検知し、停電検知信号を信号処理部１１に与える。信号処理部１１は、電源電圧検出回路２１から停電検知信号が入力されると、時計部１１ａなど必要最小限の機能以外を停止させる待機モードに切り替えて、消費電力を低減しており、バックアップ電源回路２２から電源の供給を受けて、時計部１１ａの計時動作を所定の停電補償時間継続するようになっている。なお停電が停電補償時間以上継続した場合、時計部１１ａが停止して現在時刻が失われるので、復電時に時刻設定をやり直す必要があるが、プログラムや各種の設定情報は不揮発性メモリからなるプログラム記憶部１３に記憶されているので、停電時にもデータが失われることはない。
【００３１】
信号送受信部１２は、信号線接続端子Ｔ１，Ｔ２を介して信号線Ｌｓに接続されて遠隔監視制御システムの端末器として機能するものであり、信号処理部１１で生成された監視入力を受けたときには操作スイッチ配線器具３〜５と同様に割込信号Ｖｉを発生し、信号線Ｌｓを通して伝送される伝送信号Ｖｓを受けると伝送信号Ｖｓの制御データＣＤによる各種指示を信号処理部１１に与える。
【００３２】
プログラム記憶部１３には、制御対象となる負荷が接続されたリレーのアドレスとその負荷の制御内容と制御時刻との組がタイムスケジュールとして曜日毎に格納されており、信号処理部１１は、内蔵する時計部１１ａにより計時される現在時刻（本実施形態では曜日および時分）が同じ曜日のタイムスケジュールに設定された制御時刻に一致したときに、当該タイムスケジュールにより指定されている負荷を制御内容に従って制御するのである。本実施形態では制御対象となる負荷はタイムスケジュールにおいてアドレスによって指定してあり、信号処理部１１では、そのアドレスを制御内容とともに信号送受信部１２に与える。信号送受信部１２は信号処理部１１から受け取ったアドレスおよび制御内容を用いて伝送信号を授受する。つまり、信号処理部１１から受け取ったアドレスを伝送用のアドレスに用い、制御内容を監視入力として操作スイッチ配線器具３〜５と同様に動作するのである。ここに、監視入力（操作スイッチ配線器具３〜５の操作釦３ａ〜５ａ）と負荷（制御親器１及び制御子器２のリレー）との対応関係が制御親器１においてあらかじめ設定されているとすれば、タイムスケジュールとして監視入力のアドレスに相当するアドレスを設定することで、その監視入力に対応する負荷を制御対象とすることができる。したがって、上述した個別制御のほかにグループ制御やパターン制御も可能であり、制御時刻において複数の負荷を一括して制御することができる。
【００３３】
タイムスケジュールの設定には、後述のスイッチ群４１からの操作入力を信号処理部１１に与えるキー入力部１５および液晶表示部１６が用いられる。設定操作部としてのスイッチ群４１は図４に示すように押操作される複数個（本実施形態では例えば６個）のスイッチからなり、キー入力部１５を介してスイッチ群４１の操作内容が信号処理部１１に入力される。また液晶表示部１６は、設定中のタイムスケジュール、プログラム記憶部１３に格納されたタイムスケジュール、現在時刻、信号処理部１１の動作モードなどを液晶画面に表示可能になっている。而してスイッチ群４１および液晶表示部１６を用いることによって、負荷のアドレスと制御内容と制御時刻との組をタイムスケジュールとして曜日毎に設定することができるようにしてある。つまり、曜日毎に制御対象となる負荷に対応する監視入力のアドレス（負荷のアドレスと同じ）に制御時刻および制御内容を対応付けて設定すれば良い。
【００３４】
ここにタイムスケジュールは基本的には日単位で設定され、タイムスケジュールにおける制御時刻は曜日と時分との組み合わせを基本としている。また、日毎に繰り返し利用されるタイムスケジュール（基本スケジュールという）のほかに、休日などの特定日には一部の負荷のみをスケジュール制御する場合があるので、特定日において制御する負荷を選択した一時的なタイムスケジュール（特定日スケジュールという）も設定可能になっている。例えば事業所などで休日などに室内灯は点灯させないが、外灯は点灯させたい場合、特定日に制御する負荷として外灯のみを選択しておけば、室内灯は点灯させずに、外灯のみをスケジュール制御することができる。すなわち信号処理部１１の運転モードとして、基本スケジュールによる自動運転モードと、特定日スケジュールによる休日運転モード（特定日運転モード）とがあり、以下のようにして運転モードの切り替えを行うことができる。すなわち、タイムスイッチ１０には外部接点接続端子Ｔ５，Ｔ６が設けられており、外部接点接続端子Ｔ５，Ｔ６には無電圧の外部接点入力が接続可能になっている。無電圧の外部接点入力としては図６に示すように通常はスイッチＳＷ１を用いる。外部接点検出回路２４は、外部接点接続端子Ｔ５，Ｔ６に接続されたスイッチＳＷ１のオン／オフを検出して、検出結果を信号処理部１１に出力しており、信号処理部１１は、スイッチＳＷ１がオンになれば、基本スケジュールにしたがって負荷を制御し（自動運転モード）、スイッチＳＷ１がオフになれば、特定日スケジュールにしたがって負荷を制御する（休日運転モード）。
【００３５】
またプログラム記憶部１３に記憶されるタイムスケジュールとして、制御内容を実行する時の制御時刻に代えて、上記明るさセンサ７の出力変化を用いたタイムスケジュールを格納しても良い。明るさセンサ７は周囲の明るさを検出するフォトダイオードのような検出素子を備えた従来周知のＥＥスイッチからなり、検出素子が検出した周囲の明るさと所定の基準値との明暗に応じて出力信号が変化し、出力信号の変化に応じて端子Ｔ３，Ｔ４間の電圧が高低２段階に切り替わるように構成されている。明るさセンサ受信回路２３では端子Ｔ３，Ｔ４間の電圧変化から、周囲の明るさと基準値との明暗を判定し、判定結果を信号処理部１１に与えている。而してプログラム記憶部１３に、明るさセンサ７の検出した明るさが基準値よりも暗くなると制御を開始し、所定の制御終了時刻がくると制御を終了するようなタイムスケジュールが格納されている場合には、信号処理部１１が明るさセンサ受信回路２３の出力と時計部１１ａにより計時された現在時刻とに基づいて、周囲の明るさが基準値よりも暗くなるのを明るさセンサ７が検出した時点で対応する負荷をオンにする伝送信号を信号送受信部１３から送出させ、その後時計部１１ａの計時した現在時刻が制御終了時刻に一致すると、負荷をオフさせる伝送信号を信号送受信部１３から送出さる。なお明るさセンサ接続端子Ｔ３，Ｔ４に明るさセンサ７を接続すると、明るさセンサ受信回路２３から明るさセンサ７への電源供給が行えるとともに、接続端子Ｔ３，Ｔ４の端子間電圧が変化することで明るさセンサ７の出力信号の変化を検出できるので、電源供給のための電線とは別に信号入力のための電線を配線する必要が無く、弱電配線の２本だけで済むから配線施工を容易に行える。
【００３６】
次にタイムスイッチ１０の構造を図１〜図４に基づいて説明する。尚、以下の説明では特に断りがないかぎり、図１の向きにおいて上下左右の方向を規定し、図１中の正面を前面という。したがって図２中の正面が後面になる。
【００３７】
タイムスイッチ１０のスイッチ本体３０は、合成樹脂製のボディ３１とカバー３２とを結合して構成され、カバー３２の前面には化粧カバー３３，３４が左右に並べて取着される。ここに、化粧カバー３３がスケジュールなどを設定する設定部１０ａの操作面となり、化粧カバー３４が手動操作を行うスイッチ部１０ｂの操作面となる。
【００３８】
このスイッチ本体３０は、３個モジュール寸法（単位寸法の埋込形配線器具を短幅方向に３個並べた寸法）の埋込形配線器具を短幅方向に２個並べた寸法（２連モジュール寸法）と略同じ寸法に形成されており、前面を露出させた状態で施工面（例えば建物の壁面）に埋込配設されるのである。而してスイッチ本体３０が前面を露出させた状態で壁面に埋込配設され、このスイッチ本体３０の前面に設定部１０ａが設けられているので、タイムスイッチ１０が施工された後でもユーザ自身がタイムスケジュールの設定作業や変更作業を容易に行える。
【００３９】
ボディ３１は前面が開口した縦長の略箱状であって、左右の両側壁の前縁には一対の組立突起３５が上下に離間して突設されている。一方、カバー３２は、ボディ３１の開口部と略同じ大きさの矩形板状であって、左右の両側縁からは各一対の組立舌片３６が後方に向かって突設されている。而してボディ３１とカバー３２とを結合する際には、カバー３２の組立舌片３６に設けた組立孔３７にボディ３１の組立突起３５を係合させるとともに、ボディ３１のねじ挿通孔６５に挿通した固定ねじ６６をカバー３２の背面に設けたねじ部（図示せず）に螺合することにより、ボディ３１とカバー３２とが結合される。
【００４０】
ボディ３１の背面には上述の各接続端子Ｔ１〜Ｔ６を有する端子台６０が設けられている。端子台６０の各接続端子Ｔ１〜Ｔ６は、ボディ３１の背面に設けた圧入用孔に圧入固定される端子板６１と、端子板６１のねじ孔に螺合する端子ねじ６２とで構成され、ボディ３１の背面には各端子板６１の上下両側部に絶縁壁６０ａを突設してある。またボディ３１の背面には、各接続端子Ｔ１〜Ｔ６の用途を表示した端子部銘板６４が貼着されている。而して端子台６０に電線を接続する際には、端子ねじ６２を緩めて、端子ねじ６２に遊嵌された座金６３と端子板６１との間に電線を挿入した後、端子ねじ６２を締め付けると、座金６３と端子板６１との間に電線が挟持されるのである。
【００４１】
またボディ３１の上下両側壁の前縁からは取付枠片３８，３８が上下両側に向かってそれぞれ延出しており、各取付枠片３８には施工面に埋設された埋込ボックス（図示せず）にねじ止めするためのボックスねじを挿通する長孔３８ａと、壁材などにスイッチ本体３０を直付けするための取付ねじを挿通するねじ挿通孔３８ｂと、壁を構成する石膏ボードなどを取付枠片３８の裏面との間で挟持することによって石膏ボードに固定するための従来周知のはさみ金具（図示せず）が取着される取着孔３８ｃと、スイッチ本体３０の操作面（化粧カバー３３，３４）をそれぞれ露出させる窓孔５０ａ，５０ａが開口するプレート部材（プレート枠および化粧プレートからなる）５０を取着するためのプレートねじ用のねじ孔３８ｄとが少なくとも設けてある。なおプレート部材５０を取り付けた状態では、窓孔５０ａ，５０ａを分離する縦桟５０ｂにより設定部１０ａの化粧カバー３３とスイッチ部１０ｂの化粧カバー３４とが分離されるので、スイッチ部１０ｂが通常の壁スイッチと同様の外観になり、ユーザが違和感を感じることなくスイッチ操作を行うことができる。
【００４２】
またボディ３１の内部には、図５のブロック図に示す回路が形成されたプリント配線板３９が収納され、３本のねじ４０を用いてボディ３１内にねじ止めされており、端子板６１の半田付け片６１ａがプリント配線板３９に半田付けされている。プリント配線板３９の右半分の上側には液晶表示部１６を構成する液晶表示器が実装され、この液晶表示器の下側には設定操作部を構成する６個の押釦スイッチよりなるスイッチ群４１が実装されている。またプリント配線板３９の左半分には、押釦スイッチよりなる操作スイッチ４２ａ〜４２ｄと発光ダイオード４３ａ〜４３ｄの組が４組上下に並べて実装されている。ここで、４個の操作スイッチ４２ａ〜４２ｄはスイッチ本体３０の中央部寄りに列設され、４個の発光ダイオード４３ａ〜４３ｄはスイッチ本体３０の左側部に列設されている。
【００４３】
一方、カバー３２には、プリント配線板３９に実装された液晶表示部１６に対向する部位に、液晶表示部１６を前面より露出させるための矩形の窓孔３２ａが貫設されている。またカバー３２において、スイッチ群４１を構成する押釦スイッチや操作スイッチ４２ａ〜４２ｄの押釦とそれぞれ対向する部位には、周囲にスリットを形成することによって、基端側でカバー３２に片持ち支持され、自由端となる先端部の裏面で対応する押釦を押動するヒンジ部３２ｂ，３２ｃが形成されている。さらにカバー３２において、プリント配線板３９に実装された発光ダイオード４３ａ〜４３ｄと対向する部位には、発光ダイオード４３ａ〜４３ｄの発光部を挿通させる挿通孔３２ｄが貫設されている。なおカバー３２の上下両側縁には、取付枠片３８に設けた長孔３８ａにそれぞれ対向する部位に、取付ねじとの干渉を避けるための切欠部３２ｅが形成されている。
【００４４】
化粧カバー３３は、裏面に設けた係止爪（図示せず）をカバー３２の係止孔３２ｆに係止させることで、前面の右半分を略覆う形でカバー３２に取着される。この化粧カバー３３の上側部には、下側部に比べて前方への突出量が大きい突台部３３ａが形成されており、この突台部３３ａには液晶表示部１６の表示面を露出させる矩形の窓孔３３ｂが形成されている。また化粧カバー３３の下側部には、カバー３２に設けた６個のヒンジ部３２ｂの押圧部位をそれぞれ挿通される挿通孔３３ｃが貫設されている。
【００４５】
また化粧カバー３３の前面には、突台部３３ａとそれ以外の部位とをそれぞれ覆う合成樹脂製の銘板４４，４５が貼着される。突台部３３ａを覆う銘板４４には光透過部４４ａが設けられ、光透過部４４ａを通して液晶表示部１６の表示面を視認できるようになっている。図３は液晶表示部１６の表示画面を説明する説明図であり、液晶画面にはタイムスケジュールに割り当てたプログラム番号を表示するプログラム番号表示部１６ａと、動作方式（タイマ制御又は明るさセンサ制御）を表示する動作方式表示部１６ｂと、現在時刻や制御時刻を時・分単位で表示する時・分表示部１６ｃと、曜日を表示する曜日表示部１６ｄと、各曜日毎にスケジュール制御を行うか否かを表示する動作／不動作表示部１６ｅと、信号処理部１１の現在の動作モードを表示するモード表示部１６ｆと、運転状態（基本スケジュールによる自動運転か特定日スケジュールによる休日運転かタイマ制御を停止した停止中か）を表示する運転表示部１６ｇと、操作スイッチ４２ａ〜４２ｄに対応する負荷Ａ〜Ｄのうち設定対象又は制御対象の負荷を表示する操作スイッチ表示部１６ｈと、各操作スイッチ４２ａ〜４２ｄの機能（個別制御かパターン制御（Ｐ）かグループ制御（Ｇ）か全ＯＮか全ＯＦＦか）を表示する機能表示部１６ｉと、後述の明るさ方向の設定を表示する明るさ方向表示部１６ｊと、スケジュールの設定時や確認時に制御内容（ＯＮ又はＯＦＦ）を表示する制御内容表示部１６ｋと、サマータイムに移行しているか否かを表示するサマータイム表示部１６ｍとが設けられている。
【００４６】
一方、銘板４５は可撓性を有する合成樹脂によりシート状に形成されたメンブレンシートと呼ばれるもので、各挿通孔３３ｃに対向する部位には前方に向かって膨出する操作釦４５ａ〜４５ｆが形成されている。そして化粧カバー３３の下側縁には、銘板４５が貼着された部位を開閉自在に覆う扉４８の軸部４８ａを枢支する枢支部３３ｄが設けられており、扉４８の裏面にはスイッチ群による設定方法を表示した銘板４９が貼着されている。
【００４７】
また化粧カバー３４は、化粧カバー３３と同様に裏面に設けた係止爪（図示せず）をカバー３２の係止孔３２ｆに係止させることで、前面の左半分を略覆う形でカバー３２に取着される。この化粧カバー３４には、カバー３２に設けた４個のヒンジ部３２ｃの押圧部位をそれぞれ挿通される挿通孔３４ａが貫設されるとともに、カバー３２に設けた４個の挿通孔３２ｄに連通する挿通孔３４ｂが貫設されている。また化粧カバー３４の左右方向中央部にはネームシート４７を収納する収納凹部３４ｃが形成されている。この化粧カバー３３の前面には、化粧カバー３４の前面と略同じ大きさに形成された銘板４６が貼着される。銘板４６は、可撓性を有する合成樹脂によりシート状に形成されたメンブレンシートと呼ばれるもので、各挿通孔３４ａに対向する部位には前方に向かって膨出する操作部４６ａが形成されている。なお４つの操作部４６ａは上から順番に操作スイッチ４２ａ，４２ｂ，４２ｃ，４２ｄにそれぞれ対応しており、各操作部４６ａの表面には対応する操作スイッチ４２ａ〜４２ｄ（すなわち負荷）を表す文字（例えば「Ａ」「Ｂ」「Ｃ」「Ｄ」が印字されている。また銘板４６には、各挿通孔３４ｂに対向する部位に発光ダイオード４３ａ〜４３ｄの光を透過させる光透過部４６ｂが形成されるとともに、ネームシート４７の表示を前面側から目視可能とする透明部４６ｃが設けられている。
【００４８】
次にタイムスイッチ１０の動作について説明する。まず、タイムスケジュールなどの設定を行う設定部１０ａの動作について説明する。化粧カバー３３に設けた扉４８を開けると、スイッチ群４１の操作釦４５ａ〜４５ｆが露出する（図１参照）。
【００４９】
ここで、モード選択用の操作釦（以下モード選択キーと言う）４５ａを押操作すると、１回押す毎に信号処理部１１の動作モードが通常モード→動作時刻設定モード→アドレス設定モード→現在時刻設定モード→休日運転設定モード→動作モード…の順番でサイクリックに切り替わる。ここに、通常モードとはスイッチ群４１を用いて設定されたスケジュール制御、又は、スイッチ部１０ｂの操作による制御動作を行うモード、動作時刻設定モードとは各操作スイッチ４２ａ〜４２ｄに対応するアドレス毎にタイムスケジュールを設定するモード、アドレス設定モードとは各操作スイッチ４２ａ〜４２ｄにアドレスを割り当てるモード、現在時刻設定モードとは現在の時、分、曜日を設定するモード、休日運転設定モードとは休祭日などの特定日に動作させる負荷を選択（実際には負荷に対応する操作スイッチ４２ａ〜４２ｄを選択）するモードである。
【００５０】
動作モードが各種の設定モードに切り替えられた状態では、操作釦（以下ＵＰキーと言う）４５ｃ又は操作釦（以下ＤＯＷＮキーと言う）４５ｄを押操作することによって、設定値の増減あるいは設定内容の選択操作を行うことができ、設定値を増減させる場合にはＵＰキー４５ｃ又はＤＯＷＮキー４５ｄを長押しすることで早送りが行え、操作釦（以下設定キーと言う）４５ｆを押すことによって設定内容が確定する。また戻し操作用の操作釦（以下戻るキーと言う）４５ｅを押すと、１つ前の設定項目に戻すことができる。
【００５１】
次に、上述した各設定モードにおける設定内容について説明する。動作時刻設定モードでは、液晶表示部１６のプログラム番号表示部１６ａの表示を見ながらＵＰキー４５ｃ又はＤＯＷＮキー４５ｄを操作して設定したいプログラム番号を選択し、設定キー４５ｆを操作して決定する。次に動作時刻を設定したい何れかの操作スイッチ４２ａ〜４２ｄに対応する操作部４６ａを押操作し、設定キー４５ｆを押して決定した後、動作方式表示部１６ｂの表示を見ながらＵＰキー４５ｃ、ＤＯＷＮキー４５ｄを操作して制御内容を実行うする際の動作方式（タイマ制御又は明るさセンサ制御）を選択する。タイマ制御を選択した場合は、制御時刻を設定するため、時・分表示部１６ｃの表示を見ながらＵＰキー４５ｃおよびＤＯＷＮキー４５ｄを用いて「時」を設定し、設定キー４５ｆを操作して決定した後、同様の操作を行って「秒」を設定する。一方、明るさセンサ制御を選択した場合は、明るさ方向表示部１６ｊの表示を見ながらＵＰキー４５ｃ又はＤＯＷＮキー４５ｄを用いて明るさ方向（制御内容を実行する際の明るさセンサ７の検知信号の変化方向）を選択し、設定キー４５ｆを操作して決定する。ここで、明るさ方向として「明←暗」を選択した場合は、明るさセンサ７が暗い状態から明るい状態に変化したと検知したときに制御内容を実行し、明るさ方向として「明→暗」を選択した場合は、明るさセンサ７が明るい状態から暗い状態に変化したと検知したときに制御内容を実行する。タイマ制御又は明るさセンサ制御の設定が終了すると、制御内容表示部１６ｋのＵＰキー４５ｃ又はＤＯＷＮキー４５ｄを用いて制御内容（ＯＮ又はＯＦＦ）を選択し、設定キー４５ｆを操作して決定した後、動作／不動作表示部１６ｅを見ながらＵＰキー４５ｃ又はＤＯＷＮキー４５ｄを用いて各曜日について動作／不動作を選択し、設定キー４５ｆを操作して決定する。
【００５２】
以上の操作により制御対象となる負荷に対応したアドレスと当該負荷の制御内容と動作方式（タイマ制御の場合は制御時刻、明るさセンサ制御の場合は明るさ方向）を組とする１つのプログラム（タイムスケジュール）が曜日毎に設定され、信号処理部１１は設定されたタイムスケジュールをプログラム記憶部１３に記憶させる。ここで、続けてタイムスケジュールを設定する場合は、プログラム番号の設定に戻って同様の操作を行う。一方、タイムスケジュールの設定を終了する場合はモード選択キー４５ａを押して動作モードを通常モードに切り替える。なお制御方式の選択は制御開始時と制御終了時とでそれぞれ個別に選択できるから、制御の開始又は終了の一方をタイマ制御、他方を明るさセンサ制御に設定しても良いし、制御開始および制御終了を共にタイマ制御に設定しても良いし、制御開始および制御終了の両方を明るさセンサ制御に設定しても良い。
【００５３】
次にアドレス設定モードについて説明する。この設定モードでは、まずアドレスを設定したい何れかの操作スイッチ４２ａ〜４２ｄに対応する操作部４６ａを押操作し、設定キー４５ｆを押して決定した後、機能表示部１６ｊの表示を見ながらＵＰキー４５ｃ、ＤＯＷＮキー４５ｄを操作して機能（個別制御、パターン制御、グループ制御、全ＯＮ制御、又は全ＯＦＦ制御の何れか）を選択し、設定キー４５ｆを押して決定する。その後、ＵＰキー４５ｃ、ＤＯＷＮキー４５ｄを操作してアドレス番号を選択し、設定キー４５ｆを押して決定すると、選択した操作スイッチ４２ａ〜４２ｄにそのスイッチの機能とアドレス番号とが設定される。続けてアドレスを設定する場合は、設定したい操作スイッチ４２ａ〜４２ｄを選択する操作に戻って同様の操作を行い、アドレスの設定を終了する場合はモード選択キー４５ａを押して動作モードを通常モードに切り替える。アドレス設定モードを終了すると、信号処理部１１は設定されたアドレスをプログラム記憶部１３に格納する。
【００５４】
また現在時刻設定モードでは、時・分表示部１６ｃの表示を見ながらＵＰキー４５ｃ、ＤＯＷＮキー４５ｄを操作して「時」を合わせ、設定キー４５ｆを押して決定する。次に、同様の操作を行って「分」を合わせた後、曜日表示部１６ｄの表示を見ながら、ＵＰキー４５ｃ、ＤＯＷＮキー４５ｄを操作して「曜日」を合わせ、設定キー４５ｆを押して決定する。以上の操作により現在時刻の設定を終了すると、モード選択キー４５ａを押して動作モードを通常モードに切り替える。現在時刻の設定が終了すると、信号処理部１１の時計部１１ａが設定された時刻より計時動作を開始する。
【００５５】
また休日設定モードでは、休日運転時にも動作させたい負荷（操作スイッチ４２ａ〜４２ｄ）に対応する操作部４６ａ（この操作部４６ａが設定切替手段として機能する）を押して１乃至複数の負荷を選択すると、選択された負荷に対応する発光ダイオード４３ａ〜４３ｄが点灯し、全ての負荷を選択し終えると、モード選択キー４５ａを押して動作モードを通常モードに切り替える。この時、信号処理部１１は、休日設定モードで選択された負荷のアドレスをプログラム記憶部１３に格納する。
【００５６】
また設定キー４５ｆを一定時間以上長押しすると、信号処理部１１は、時・分表示部の時刻表示を時計部１１ａの計時した時刻から１時間すすめて、サマータイムに移行し、液晶表示部１６のサマータイム表示部１６ｍに「＋１ｈ」の文字を表示させる。サマータイムに移行後、信号処理部１１はサマータイムにしたがってスケジュール制御を行う。またサマータイムに移行した状態で、設定キー４５ｆを一定時間以上長押しすると、信号処理部１１は、時・分表示部の時刻表示を時計部１１ａの計時した時刻に戻すとともに、サマータイム表示部１６ｍの表示を消して、サマータイムから復帰する。このように。サマータイム切替スイッチとしての設定キー４５ｆの操作に応じて、サマータイムへの移行或いはサマータイムからの復帰を容易に選択することができる。
【００５７】
次に通常モードにおける動作について説明を行う。通常モードでは運転切替キー（運転切替手段）４５ｂを用いて信号処理部１１の運転モードを自動運転モード、休日運転モード、停止モードに何れかに切り替えることができる。すなわち運転切替キー４５ｂを１回押す毎に、信号処理部１１の運転モードが自動運転モード又は休日運転モードの何れかに交互に切り替えられる。また運転切替キー４５ｂを一定時間長押しすると、信号処理部１１の運転モードが停止モードに切り替えられ、その後運転切替キー４５ｂを再度一定時間長押しすると、元の運転モードに復帰する。
【００５８】
自動運転モードでは、信号処理部１１は、全ての操作スイッチ４２ａ〜４２ｄに対応する負荷について、プログラム記憶部１３に予め登録されたスケジュールを実行する。例えば操作スイッチ４２ａに対応する照明負荷（例えば店舗内の照明）を営業時間に合わせて点灯させるスケジュールが設定されている場合、信号処理部１１は、時計部１１ａの計時した現在時刻が制御開始時刻（例えば８時）に一致すると、照明負荷のアドレスと制御内容（点灯制御）を含む伝送信号を信号送受信部１２から信号線Ｌｓに送出させて、対応する照明負荷を点灯させる。その後時計部１１ａの計時した現在時刻が制御終了時刻（例えば１９時）に一致すると、信号処理部１１は、照明負荷のアドレスと制御内容（消灯制御）を含む伝送信号を信号送受信部１２から信号線Ｌｓに送出させて、対応する照明負荷を消灯させる。
【００５９】
また何れかの操作スイッチ４２ａ…に対応する負荷が外灯や夜間に点灯する看板などの場合に、制御開始時の動作方式として明るさセンサ制御が、制御終了時の動作方式としてタイマ制御が設定されているタイムスケジュールの場合には、明るさセンサ７が明るい状態から暗い状態に変化するのを検出すると、信号処理部１１が、明るさセンサ受信回路２３からの入力信号に基づいて、照明負荷のアドレスと制御内容（点灯制御）を含む伝送信号を信号送受信部１２から信号線Ｌｓに送出させて、対応する照明負荷を点灯させる。その後時計部１１ａの計時した現在時刻が制御終了時刻（例えば２４時）に一致すると、信号処理部１１は、照明負荷のアドレスと制御内容（消灯制御）を含む伝送信号を信号送受信部１２から信号線Ｌｓに送出させて、対応する照明負荷を消灯させる。
【００６０】
また制御開始時の動作方式としてタイマ制御が、制御終了時の動作方式として明るさセンサ制御が設定されているタイムスケジュールの場合には、時計部１１ａの計時した現在時刻が制御開始時刻（例えば１９時）に一致すると、信号処理部１１は、照明負荷のアドレスと制御内容（点灯制御）を含む伝送信号を信号送受信部１２から信号線に送出させて、対応する照明負荷を点灯させる。その後、明るさセンサ７が暗い状態から明るい状態に変化するのを検出すると、信号処理部１１が、明るさセンサ受信回路２３からの入力信号に基づいて、照明負荷のアドレスと制御内容（消灯制御）を含む伝送信号を信号送受信部１２から信号線に送出させて、対応する照明負荷を消灯させる。
【００６１】
また、制御開始時および制御終了時の動作方式として両方共に明るさセンサ制御が設定されているタイムスケジュールの場合、明るさセンサ７が明るい状態から暗い状態に変化するのを検出すると、信号処理部１１が、明るさセンサ受信回路２３からの入力信号に基づいて、照明負荷のアドレスと制御内容（点灯制御）を含む伝送信号を信号送受信部１２から信号線に送出させて、対応する照明負荷を点灯させる。その後、明るさセンサ７が暗い状態から明るい状態に変化するのを検出すると、信号処理部１１が、明るさセンサ受信回路２３からの入力信号に基づいて、照明負荷のアドレスと制御内容（消灯制御）を含む伝送信号を信号送受信部１２から信号線に送出させて、対応する照明負荷を消灯させる。
【００６２】
このように制御内容を実行する際の制御方式としてタイマ制御と明るさセンサ制御の何れかを選択することができるから、制御対象の負荷や用途に合わせて最適な制御方式を選択することができる。
【００６３】
一方、休日運転モードでは、信号処理部１１は、休日設定モードにより設定された負荷についてのみ、プログラム記憶部１３に記憶されたスケジュールに従ってスケジュール制御を行う。なお運転切替キー４５ｂの操作によって、信号処理部１１の運転モードを休日運転モードに切り替えることが可能であるが、本実施形態ではスイッチＳＷ１からの接点信号が入力される外部接点検出回路２４を設けており、外部接点検出回路２４より入力される接点信号に応じて信号処理部１１の運転モードを休日運転モードに切り替えることも可能である。図７はスイッチＳＷ１による運転モードの切替状態を説明するタイムチャートであり、スイッチＳＷ１の接点状態がオン（閉）の期間Ｔａ，Ｔｃは、信号処理部１１の運転モードが自動運転モードとなり、全ての操作スイッチ４２ａ〜４２ｄに対応する負荷（Ａ〜Ｄ）についてスケジュール制御を行う。ここでＡ，Ｂ，Ｃの操作スイッチが事務所内の照明用、Ｄの操作スイッチが外灯用の場合に、休日は負荷Ａ〜Ｃを停止させ、負荷Ｄのみを点灯させるようにしておけば、スイッチＳＷ１の接点状態がオフ（開）の期間Ｔｂ（休日運転モード）では、休日設定モードにおいて選択された負荷（図７の例では負荷Ｄ）のみをタイマ制御することができる。なお図７中の破線はスケジュール動作を行っていない期間を示している。
【００６４】
また、停止モードでは、信号処理部１１はスケジュール制御を行わず、操作スイッチ４２ａ〜４２ｄに対応する操作部４６ａが押操作された場合のみ、対応する負荷のアドレスと制御内容とを含む伝送信号を信号送受信部１２から送出させ、対応する負荷をオン／オフするのである。なお、自動運転モード又は休日運転モードで動作している期間でも、操作スイッチ４２ａ〜４２ｄに対応する操作部４６ａを押操作することで、対応する負荷を強制的にオン／オフすることが可能である。
【００６５】
ここで、外部接点接続端子Ｔ５，Ｔ６にスイッチＳＷ１を接続する代わりに、図８に示すように他の負荷を動作させるリレー６に連動して動作するダミーリレー６ａを接続しても良く、他の負荷のオン／オフに合わせて信号処理部１１の運転モードを自動モード又は休日運転モードに切り替えることもできる。例えばダミーリレー６ａを事業所内の照明をオン／オフ駆動するリレー６に連動させた場合には、事業所内の照明が点灯されると、信号処理部１１が、外部接点検出回路２４の検出結果に基づいて運転モードを自動運転モードに切り替えるようにすれば、平日の朝に事業所の壁スイッチを操作して事業所内の照明を点灯させると、信号処理部１１の運転モードが自動運転モードに切り替えられて、基本スケジュールにしたがって制御を行わせることができる。また、夜間や休日などに事業所内の照明を消灯させると、信号処理部１１の運転モードが休日運転運転モードに切り替えられるから、休日設定モードにおいて設定された負荷のみをスケジュール制御することができる。またダミーリレー６ａを電気錠に連動させるようにすれば、出勤時に電気錠を解錠すると、電気錠に連動してダミーリレー６がオンになり、信号処理部１１が、外部接点検出回路２４の検出結果に基づいて運転モードを自動運転モードに切り替えるとともに、帰宅時に電気錠を施錠すると、電気錠に連動してダミーリレー６がオフになり、信号処理部１１が、外部接点検出回路２４の検出結果に基づいて運転モードを休日運転モードに切り替えることができる。このようにダミーリレー６ａの接点信号に応じて休日運転モードに切り替えるようにすれば、ユーザが自動運転モード或いは休日設定モードに切り替える操作を意識して行わなくても、他の負荷の動作に合わせて運転モードを自動的に切り替えることができ、運転モードを切り替える操作のし忘れを防止できる。
【００６６】
また停止モードにおいては、信号処理部１１はスケジュール制御を行わず、操作スイッチ４２ａ〜４２ｄに対応する操作部４６ａが押操作されると、信号処理部１１は、対応する負荷のアドレスと制御内容を含む伝送信号を信号送受信部１２から送出させ、対応する負荷のオン／オフさせる。
【００６７】
以上説明したように本実施形態のタイムスイッチ１０では、スケジュール制御を行う制御対象の負荷を操作するための操作スイッチ４２ａ〜４２ｄを備えており、これらの操作スイッチ４２ａ〜４２ｄを用いて負荷のオン／オフを手動で行うことができる。しかも、操作スイッチ４２ａ〜４２ｄには、プログラム記憶部１３に登録されたアドレスが割り当てられるので、上述のスイッチ群４１を用いて操作スイッチ４２ａ〜４２ｄのアドレス設定が行えるから、専用のアドレス設定器を用意する必要が無く、またスイッチ群４１により設定されるスケジュールは、操作スイッチ４２ａ〜４２ｄにより制御される負荷に対して設定されるので、設定作業を行う作業者が設定する制御内容を容易に理解でき、スケジュールの設定作業を簡単に行うことができる。
【００６８】
また、スイッチ群４１を用いて休日運転モードにおいてタイマ制御を行うアドレスを設定しておけば、休日や祭日など一部の負荷のみを動作させたい場合には、運転切替キー４５ｂを操作するだけで、一部の負荷のみのタイマ制御を行わせることができる。
【００６９】
また、外部接点接続端子Ｔ５，Ｔ６に入力される外部接点信号により運転モードを自動運転モード又は特定日運転モードの何れかに切り替えることもできる。例えば接点信号として、事業所の照明負荷を入／切する負荷制御リレーと同時に動作するリレーの接点信号を用いれば、平日の出勤時に事業所内の照明負荷を点灯させると、それと同時に入力された接点信号により、運転モードを自動運転モードに切り替えることができ、夜間や休日などでは事業所内の照明負荷が点灯されないから、運転モードを特定日運転モードに切り替えることができ、ユーザ自身が制御モードを切り替える操作を意識して行わなくても、制御モードの切り替えを行うことができる。
【図面の簡単な説明】
【００７０】
【図１】本実施形態のタイムスイッチの正面図である。
【図２】同上の背面図である。
【図３】同上の液晶表示部の表示内容を説明する説明図である。
【図４】同上の分解斜視図である。
【図５】同上のブロック図である。
【図６】同上を用いる遠隔監視制御システムのシステム構成図である。
【図７】同上の動作を説明するタイムチャートである。
【図８】同上の他の使用例を説明するシステム構成図である。
【図９】（ａ）〜（ｃ）は遠隔監視制御システムに用いる伝送信号の説明図である。
【符号の説明】
【００７１】
１０  タイムスイッチ
１０ａ  設定部
１０ｂ  スイッチ部
３０  スイッチ本体
３３，３４  化粧カバー
３８  取付枠片
３８ａ  長孔
４５ａ〜４５ｆ  操作釦
【図１】
2007251671.tif 000003
【図２】
2007251671.tif 000004
【図３】
2007251671.tif 000005
【図４】
2007251671.tif 000006
【図５】
2007251671.tif 000007
【図６】
2007251671.tif 000008
【図７】
2007251671.tif 000009
【図８】
2007251671.tif 000010
【図９】
2007251671.tif 000011